(57)【要約】【課題】防護ネット支柱に、硬球ボールがハイスピードで当たる事で、跳ね返りのボールの方向予測出来ず、またスピードも落ちずに選手に当たる事で、怪我及び重大事故が発生しているが、この様な事故を無くすための、防護ネット支柱保護器を提供する。【解決手段】芯の部分に丸鉄筋の大(１２)・小(１４)を配し、外側に柔軟材で形成した管大(１１)小(１３)で覆われた、防護ネット支柱保護器（４）であって、防護ネット支柱保護器（４）は楕円形円柱型をしており、センターから約１８０度近く開く構造の為、防護ネット支柱(１)に対する、内側からのボールの跳ね返りにも、外側からのボールの跳ね返り両方に対応出来る防護ネット支柱保護器（４）は、選手及び関係者の怪我や事故を防止すると共に、練習用ボールの損傷や紛失を少なくするためのものでもある。【選択図】図１
2020005976.tif 000002
【特許請求の範囲】
【請求項１】
鉄筋を柔軟材で形成した管で覆った棒体を繊維状に組み込んで枠を形成し、前記枠は防護ネット支柱に取り付けられるようにし、前記枠は開閉可能であり、閉じた状態で筒状であり、開いた状態で硬球を受けるようにした、ことを特徴とする硬式野球用防護ネット支柱保護器。
【請求項２】
前記枠は閉じた状態で外周が楕円形の筒状である、請求項１に記載の硬式野球用防護ネット支柱保護器。
【請求項３】
防護ネット支柱と防護ネット支柱保護器を、爪型クランプを介して接続された、請求項１又は２何れかに記載の硬式野球用防護ネット支柱保護器。
【請求項４】
爪型クランプと防護ネット支柱との間に、防護ネット及び支柱太さ調整器を挟み込んだ請求項１から３の何れかに記載の硬式野球用防護ネット支柱保護器。
【請求項５】
防護ネット保護部器は、柔軟材で形成された管（大）・柔軟材で形成された管（小）が、簡単に交換できる、請求項１から４の何れかに記載の硬式野球用防護ネット支柱保護器。
【請求項６】
防護ネット保護器は、丸鉄筋大、小の太さを変えることや、楕円形型の筒状円柱型の長さ、幅、形を変える事で、全ての防護ネットに対応出来る、請求項１から５の何れかに記載の硬式野球用硬式野球用防護ネット支柱保護器。
【発明の詳細な説明】
【技術分野】
【０００１】
本発明は、硬式野球練習時の防護ネット支柱に、硬球ボールが当たり不規則で予想がつかない硬球ボールによる、事故及び怪我を防ぐための、硬式野球用防護ネット支柱保護器具に関する。
【背景技術】
【０００２】
プロ・アマを問わず、硬式野球の場合、練習時に選手を守る為の防護ネットを必ず使用しており、練習時の選手の安全を心掛けているが、プロの場合は、専用スタッフがおり、防護ネットの数も種類も豊富なうえ、長年の経験等も踏まえ、硬球ボールの跳ね返りによる事故は少ないが、アマの場合、専用スタッフもいなく、防護ネットの数も少ないので、必然的に硬球ボールの跳ね返りによる事故及び怪我等の発生確立が高く、事故の一部は重大事故に繋がる。
【０００３】
プロの場合、専用練習場を所持し、防護ネットの移動や片付けが少ないが、アマの場合、一部の社会人野球を除き大多数が、防護ネットの移動や片付けを頻繁に行う事で、設置する際も毎回違い、経験知の少なさも重なり、硬球ボールの跳ね返り事故の確率が高い。
【０００４】
硬式野球練習時の防護ネットは、全て繋がっている訳で無く、大きさが同じ防護ネットを並べる場合や、大きさの違う防護ネットを並べるなど、ケースはまちまちであるが、基本的に其々の防御ネットどうしを繋ぐ作業はしないことやグランドが水平で無い為、防護ネットの並んだ隙間から、直接的に硬球ボールが選手等に当たる事故が起こる。
【０００５】
硬式野球練習時の防護ネット支柱の形状は、太さに関しては、目的や移動をする・しないにより、直径が変わるが形状としては基本的に丸柱である、丸柱であると言う事は、硬球ボールも球体であるので、支柱にボールが当たり跳ね返りの方向やスピードを予想する事は、不可能である、又スピードは跳ね返る角度によっては、早くなる事もある。
【０００６】
特許文献１には、垂直に貼られたネット中央部に、トスをするボールを放出できる空間を設け、打者側のネットには打ち返す目標の的を設けた、打撃練習用ネットが開示されている。
【０００７】
特許文献２には、野球等で使用する保護フエンスにおいて、ボールの跳ね返りに関して、方向のイレギュラー化や跳ね返り距離のばらつきを防止するため、スタンドフレームと角形盤体形のクッションパッドを有した保護フエンスが開示されている。
【０００８】
非特許文献１には、打球のネットからの跳ね返り事故防止に有効な、改良型防護ネットも市販されている、仕組みとしては、フレームをネット内に入れる事で、後方への跳ね返りを防ぐフレーム・支柱が開示されている。
【先行技術文献】
【特許文献】
【０００９】
【特許文献１】特開２０１７−１６４２７８号公報
【特許文献２】特開２００５−１３１０３４号公報
【非特許文献１】PDF高校野球の事故防止対策について
【発明の概要】
【発明が解決しようとする課題】
【００１０】
従来の、特許文献１及び特許文献２で開示されている器具は、現在使用されている防護ネットに取り付けることは不可能であり、非特許文献１に開示されている用具の効果は認めるが、ボールの跳ね返りやネットどうしの隙間からのボール侵入の問題を、解決する方法が、開示されていない。
【００１１】
非特許文献１に提示されている、打球のネットから跳ね返り事故防止に有効な改良型防護ネットは、衝撃自体は緩和されるが、打球の方向性は予測出来ず、何よりも全ての防護ネットに設置する事は、予算の少ないアマには、経済的に困難だと考えられる。
取り付けが簡単で、且つ本発明は前記のような問題を解決するものであり、不規則で予想のつかない硬球ボールによる事故及び怪我を、防ぐための硬式野球用防護ネット支柱保護器具を提供することを目的とする。
【課題を解決するための手段】
【００１２】
本発明に係る硬式野球用防護ネット支柱保護器具４は、鉄筋を柔軟材で形成した管で覆った棒体を繊維状に組み込んで枠を形成し、前記枠は開閉可能であり、
閉じた状態で筒状であり、開いた状態で硬球を受けるようにした、ことを第1の特徴とする。
【００１３】
本発明に係る硬式野球用防護ネット支柱保護器具４の第2の特徴は、上記第1の特徴に加えて、前記枠は閉じた状態で外周が楕円形の筒状の点にある。
【００１４】
本発明に係る硬式野球用防護ネット支柱保護器具４の第3の特徴は、上記第1、第2の特徴に加えて、硬式野球用防護ネット２と支柱保護器具４を、爪型クランプ３を介して、接続された点にある。
【００１５】
本発明に係る硬式野球用防護ネット支柱保護器具４の第4の特徴は、上記第1、第2、第3の特徴に加えて、上記爪型クランプ３と防護ネット支柱１の間に、支柱太さ調整器８を挟み込んだ点にある。
【００１６】
本発明に係る硬式野球用防護ネット支柱保護器具４の第5の特徴は、上記第1、第2、第3、第4、の特徴に加えて、柔軟材で形成された管（大）１０及び柔軟材で形成された管（小）１３が、簡単に交換できる点にある。  
【００１７】
本発明に係る硬式野球用防護ネット支柱保護器具４の第6の特徴は、上記第1、第2、第3、第4、第5、の特徴に加えて、丸鉄筋大１２、小１４を柔軟材で形成した管で覆った楕円形の筒状円柱型の、丸鉄筋大１２、小１２の太さを変えることや、楕円形型の筒状円柱型の長さ、幅、形を変える事で、全ての防護ネットに対応出来る点にある。
【発明の効果】
【００１８】
本発明の効果を要約すれば硬式野球用防御ネット支柱保護器具は、現在市販され使用されている全ての防御ネットに簡単に取り付けることが出来、ボールの跳ね返り事故及びネットどうしの隙間による事故が、完全に無くなる事を目的とした用具であると同時に、安価で提供出来、アマチュア野球に於いても、予算範囲内で購入出来、しかも片づける際にも、本体自体が動く為、ネットに添って収納出来るので、邪魔に成らず簡単に仕舞う事が出来る。
【００１９】
本発明品である、硬式野球用防御ネット支柱保護器具は、支柱を保護する事は当然であるが、それ以外の効果として、硬球ボールの保護(衝撃傷やへこみ等から守る)及び紛失防止＋球拾いの時間短縮が見込める、理由として外部は素材の柔らかい柔軟材で形成した管で覆われている事及び、衝撃吸収により硬球ボールの散らばりや、跳ね返りの少ない事である。
【００２０】
この構成によれば、現状のフレーム・支柱は硬式野球用防御ネット支柱保護器具が覆い隠す事で、跳ね返り事故は完全に無くなると同時に、硬式野球用防御ネット支柱保護器具を真ん中から大きく開く事により、どの方向からボールが飛んで来ても、現状のフレーム・支柱に当たる事は皆無であるので、跳ね返り事故及び隙間事故がなくなる。
【図面の簡単な説明】
【００２１】
【図１】防護ネットに防護ネット支柱保護器具を、取り付けた正面図。
【図２】防護ネット支柱に、防護ネット支柱保護器具を取り付けた拡大図。
【図３】防護ネット支柱に、防護ネット支柱保護器具を取り付けた拡大図、但          し防護ネット支柱保護器具片方が短い場合。
【図４】バッティングゲージに、防護ネット支柱保護器具を取り付けた正面図及び詳細図。
【図５】防球用ダブルネットを2個並べた場合の、防護ネット支柱保護器具を取り付けた正面図及び詳細図。
【図６】L型投手用ダブルネットに、防護ネット支柱保護器具を取り付けた正面図及び詳細図。
【図７】防護ネット支柱保護器具、平面図・側面図・詳細図
【発明を実施するための形態】
【００２２】
本発明は、硬式野球用防護ネット支柱跳ね返り及び隙間事故を防止する事を目的にしたものである。図１は防護ネット支柱に、爪型クランプ３を介して防護ネット支柱保護器４を取り付けた正面図であり、左上部に小さく平面図も明記している、図２は図１に示した爪型クランプ３を介して防護ネット支柱保護器４を取り付けた平面拡大図であり、防護ネット支柱保護器４が開いた場合を明記している、図３は図１に示した防護ネット支柱１に、爪型クランプ３を介して防護ネット支柱保護器４を取り付けた平面拡大図であり図２との違いは、一方の防護ネット支柱保護器４が短い場合の平面拡大図である。
【００２３】
図1の正面図で示したように、防護ネット支柱１には防護ネット２が、巻きついている為、クランプ３の留め金は、通常のクランプで無く先が空いている爪型クランプ３を使用する必要がある、又防護ネット支柱保護器４を防護ネット支柱１に取り付ける為には、爪型クランプ３を２個以上使用し取り付ける事で、安全性及び安定感が生じる。
又、防護ネット支柱１の太さは、防護ネット２の種類・目的により変化する為、防護ネット及び支柱太さ調整器８(例・ウラタン系エラストマー)を挟み込む事で、防護ネット２及び防護ネット支柱１の損傷を防ぐと共に、太さ調整が出来る。
【００２４】
図２・３で示している様に、楕円形の防護ネット保護器４が防護ネット保護分割器５で、約360度開く構造により、護ネット支柱１を表・裏を含め全ての方向から、護ネット支柱１守る事が出来る。
楕円形と言う例えで説明しているが、筒状で有れば円形でも角形でもよい。  
【００２５】
図４で示している、バッティングゲージに、防護ネット支柱保護器具４を取り付けた正面図は、防護ネットの中で最も大きなものと思われます、正面の防護ネット支柱１の高さは350cmもあり、この場合防護ネット支柱保護器４の高さも150cmの物を２個使用する必要があると考えられる。
又図４では防護ネット支柱保護器具４を、正面の防護ネット支柱１だけに取り付けているが、横や斜めの防護ネット支柱１に防護ネット支柱保護器具４を、取りつける事で安全性向上に役立つ。  
【００２６】
図５で示している、防球用ダブルネットを横に２個並べた正面図であるが、通常野球用グランドは、平坦で無く凸凹や勾配があるので、防球用ダブルネットを横に２個並べた場合、必ず隙間が生じその為の事故及び怪我が生じるが、防護ネット支柱保護器４の場合断面が楕円形のため、３０mm〜１００mm以上の隙間を防ぐ事が出来る、尚隙間を防ぐには片一方の防護ネット支柱保護器４が長ければ良いので、図３の防護ネット支柱保護器４を使用する。
【００２７】
図６で示している、L型投手用ダブルネットに、防護ネット支柱保護器具を取り付けた正面図は、危険な場所を特定して、防護ネット支柱保護器４の長さは、どの様にでも出来る事を示した図である。
【００２８】
図７で示している、防護ネット支柱保護器具４、平面図・側面図・詳細図
は、防護ネット支柱保護器具４の製造方法及び構造を示したものである、大外ゴム枠９の芯である丸鉄筋の太さは外径２０mmを基本にし、内側に設置する内側ゴム枠１０の芯である丸鉄筋の太さは外径１０mmを基本にして、長さ・巾・楕円形等の形を決め溶接した後、大外ゴム枠９の芯である丸鉄筋１２の太さは、外径２０mmの場合、柔軟材で形成された管（大）１１(外径37.5mm・内径25.4mm)を真一文字に切り、丸鉄筋に被せる、同様に内側ゴム枠１０の芯である丸鉄筋１４の太さは、外径１０mmの場合、柔軟材で形成された管（小）１３(外径21.9mm内径12.7mm)を基本に被せる。
又内側ゴム枠四角い枠の大きさは、基本的に硬球ボールが挟み込まない大きさとして、20mm角〜30mm角とかんがえる。
当然ゴム枠の破損等が生じるが、柔軟材で形成した管は安く、素人でも簡単に取り換えられるので、ランニングコストが掛からない、柔軟材で形成した管の交換は、傷ついた柔軟材で形成した管を、取り付け用ゴム切れ目(長て方向に一直線の切れ目)を利用し外し、新しい柔軟材で形成した管を、切れ目を利用して設置する。
【符号の説明】
【００２９】
１  防護ネット支柱
２  防護ネット
３  爪型クランプ
４  防護ネット支柱保護器
５  防護ネット保護分割器
６  防護ネット支柱保護土台
７  隙間空間
８  防護ネット及び支柱太さ調整器
９  大外ゴム枠
１０  内側ゴム枠
１１  柔軟材で形成した管(大)
１２  丸鉄筋大
１３  柔軟材で形成した管(小)
１４  丸鉄筋小
【図１】
2020005976.tif 000003
【図２】
2020005976.tif 000004
【図３】
2020005976.tif 000005
【図４】
2020005976.tif 000006
【図５】
2020005976.tif 000007
【図６】
2020005976.tif 000008
【図７】
2020005976.tif 000009